(57)【要約】【課題】部材管理や現場での組立が簡便であると共に、搬送スペースや収容スペースの低減及びコストダウンが可能な折り畳みダンボールパレットを簡易な構成で安価に提供する。【解決手段】折り畳み可能に形成されたダンボールパレットにおいて、その上に積載物が載置される天板１０と、折り曲げ罫線に沿って折り曲げ可能であって、積載物の荷重を支持する桁部Ｓを形成する桁板５０と、折り曲げ罫線に沿って折り曲げ可能であって、桁部Ｓの支持部材を形成すると共に、ダンボールパレット１の強度を補強する中板３０と、を備え、折り畳み状態において、天板１０と中板３０と桁板５０とが、一体の平坦なボード状となるように、中板３０が天板１０と桁板５０との間に介装されている。【選択図】図１
2020175903.tif 000002
【特許請求の範囲】
【請求項１】
折り畳み可能に形成されたダンボールパレットにおいて、
その上に積載物が載置される天板と、
折り曲げ罫線に沿って折り曲げ可能であって、前記積載物の荷重を支持する桁部を形成する桁板と、
折り曲げ罫線に沿って折り曲げ可能であって、前記桁部の支持部材を形成すると共に、前記ダンボールパレットの強度を補強する中板と、
を備え、
折り畳み状態において、前記天板と前記中板と前記桁板とが、一体の平坦なボード状となるように、前記中板が前記天板と前記桁板との間に介装されていることを特徴とする折り畳みダンボールパレット。
【請求項２】
組み立て状態において、前記桁部は、逆台形状に形成されていると共に、前記桁板の端部及び対応する前記中板の端部が開放端として対向配置されており、前記桁部の形状が弾性復元力により保持されていることを特徴とする請求項１に記載の折り畳みダンボールパレット。
【請求項３】
前記中板は、その一部が前記天板の両端に接合された一対の中板端部と、折り畳み状態において、前記中板端部のそれぞれと平板状に連接する中板連接部とを有し、
組み立て状態において、前記桁板は、その外側端部が開放された一対の逆台形状の桁部を形成していると共に、前記中板端部のそれぞれには、前記桁部の外側端部と対向配置された対向支持部が折り曲げ形成されていることを特徴とする請求項１又は２に記載の折り畳みダンボールパレット。
【請求項４】
前記中板は、その一部が前記天板の中央部分に接合された中板連接部と、前記天板の端部にて折り返されて前記桁板を兼用している中板端部とを有し、
組み立て状態において、前記中板端部は、その内側端部が開放された一対の逆台形状の桁部を形成していると共に、前記中板連接部の両端には、前記桁部の内側端部と対向配置された対向支持部が折り曲げ形成されていることを特徴とする請求項１又は２に記載の折り畳みダンボールパレット。
【請求項５】
前記中板は、少なくともその一部が前記天板の両端に接合された一対の中板端部と、折り畳み状態において、前記中板端部のそれぞれと平板状に連接する中板連接部とを有し、
組み立て状態において、前記桁板は、その外側端部が開放された一対の逆台形状の桁部を形成している対桁板と、前記天板の一端にて、その内側端部が開放された逆台形状の端桁部を形成する端桁板とを有し、
前記対桁板と前記端桁板とは、前記中板連接部の両端に折り曲げ形成されて前記桁部及び前記端桁部の開放端と対向配置された対向支持部を介して接続されていることを特徴とする請求項１又は２に記載の折り畳みダンボールパレット。
【請求項６】
前記桁部には、その内面形状に倣った補強部材が挿入されていることを特徴とする請求項１ないし５のいずれかに記載の折り畳みダンボールパレット。
【発明の詳細な説明】
【技術分野】
【０００１】
本発明は、ダンボールパレットに関する。具体的には、出荷時に平坦に折り畳み可能であって、ユーザーが現場で容易に組み立て可能な折り畳みダンボールパレットに関するものである。
【背景技術】
【０００２】
近年、荷役作業等の際、フォークリフトやハンドリフトの爪を差し込んで持ち上げるパレットの素材として、社会的な環境意識の向上と相俟って、１００％リサイクル可能な環境に優しい素材であるダンボールが注目されており、種々のダンボールパレットが提案されている  （特許文献１，２参照）。
【０００３】
例えば、本発明者により提案された特許文献１には、天板、底板、三角桁、台形桁、ハ字形の開口固定板等を用いて、強度の向上を図ったダンボールパレットが開示されている。
【０００４】
同様に、本発明者により提案された特許文献２には、天板、桁カバー、桁カバーに収容されたトラス桁を備え、出荷時において、天板と桁カバーとが予め一体にシート状に形成されていると共に、トラス桁は折り曲げ罫線と切り目とが交互に形成された切り目付き折り曲げ罫線が付されたダンボールシートとして展開形成されており、使用時において、トラス桁は、ダンボールシートを折り曲げることにより複数の三角形が連結した逆台形状に形成されて桁カバー内に収容されているダンボールパレットが開示されている。
【先行技術文献】
【特許文献】
【０００５】
【特許文献１】特開２０１４−２３１３８９号公報
【特許文献２】特開２０１８−４７９５２号公報
【発明の概要】
【発明が解決しようとする課題】
【０００６】
しかしながら、特許文献１に記載された先行技術では、桁と天板又は固定板とを接合する際に、位置合わせや接合信頼性を確保することが困難な両面接合（両面接着）が必要となるため、パレットメーカーの工場内にて専用の接合装置等により接合（接着）し一体に組み立てて出荷する必要があった。その結果、完成品としてのパレット全体の容積が大きくなり（嵩張り）、搬送スペースや保管スペースが増大するといった問題が生じていた。
【０００７】
また、特許文献２に記載された先行技術は、上記特許文献１に記載のダンボールパレットに比し作業性の向上を図ったものであるが、依然として、現場での組み立て作業性の向上が求められていた。具体的には、一体に形成された天板と桁カバーに対して、トラス桁が別部材として形成されているので、共通の天板ユニットに対してサイズや数量が異なるトラス桁が組み合わされる場合等では、部材管理や梱包作業が著しく煩雑となったり、保管スペースが増大するといった問題が生じていた。また、シート状に展開形成されたトラス桁を、タブを差し込んで複数の直角三角形を形成してトラス桁を作成するため、迅速で安定した組み立てに習熟を要すると共に、当該トラス桁を桁カバー内に正確に収容配置する必要があるため、作業性が低下したり特別の冶具を要するといった問題が生じていた。さらに、トラス桁の位置ずれが桁カバー内で生じた場合には、積載物の支持が不安定となるといった問題も生じていた。
【０００８】
そこで、本発明は上述のような従来技術の問題点に鑑みてなされたものであり、部材管理や現場での組立が簡便であると共に、搬送スペースや収容スペースの低減及びコストダウンが可能な折り畳みダンボールパレットを簡易な構成で安価に提供することを目的とする。
【課題を解決するための手段】
【０００９】
上記目的を達成するために、本発明に係る折り畳みダンボールパレットは、折り畳み可能に形成されたダンボールパレットにおいて、その上に積載物が載置される天板と、折り曲げ罫線に沿って折り曲げ可能であって、前記積載物の荷重を支持する桁部を形成する桁板と、折り曲げ罫線に沿って折り曲げ可能であって、前記桁部の支持部材を形成すると共に、前記ダンボールパレットの強度を補強する中板と、を備え、折り畳み状態において、前記天板と前記中板と前記桁板とが、一体の平坦なボード状となるように、前記中板が前記天板と前記桁板との間に介装されていることを特徴とする。
【００１０】
ここで、一体の平坦なボード状とは、天板、中板、桁板の各部材が一体に積層形成され、各部材の少なくともその一部が互いに接合（接着固定）された状態をいうものとする。
【００１１】
このように構成した場合には、部材管理や現場での組立が簡便であると共に、一体加工を可能とし、併せて、搬送スペースや収容スペースの低減及びコストダウンが可能となる。
【００１２】
また、組み立て状態において、前記桁部は、逆台形状に形成されていると共に、前記桁板の端部及び対応する前記中板の端部が開放端として対向配置されており、前記桁部の形状が弾性復元力により保持されていてもよい。
【００１３】
このように構成した場合には、フォークリフトの爪との接触を回避して作業性の高い桁部の形状を容易に保持することができる。
【００１４】
また、前記中板は、その一部が前記天板の両端に接合された一対の中板端部と、折り畳み状態において、前記中板端部のそれぞれと平板状に連接する中板連接部とを有し、組み立て状態において、前記桁板は、その外側端部が開放された一対の逆台形状の桁部を形成していると共に、前記中板端部のそれぞれには、前記桁部の外側端部と対向配置された対向支持部が折り曲げ形成されていてもよい。
【００１５】
このように構成した場合には、中板と桁板の弾性復元力を桁部の形状保持に有効に利用することができる。
【００１６】
また、前記中板は、その一部が前記天板の中央部分に接合された中板連接部と、前記天板の端部にて折り返されて前記桁板を兼用している中板端部とを有し、組み立て状態において、前記中板端部は、その内側端部が開放された一対の逆台形状の桁部を形成していると共に、前記中板連接部の両端には、前記桁部の内側端部と対向配置された対向支持部が折り曲げ形成されていてもよい。
【００１７】
構成した場合には、桁部の幅方向の長さをより拡張することが可能となり、より強度及び作業性の向上を図ることができる。
【００１８】
また、前記中板は、少なくともその一部が前記天板の両端に接合された一対の中板端部と、折り畳み状態において、前記中板端部のそれぞれと平板状に連接する中板連接部とを有し、組み立て状態において、前記桁板は、その外側端部が開放された一対の逆台形状の桁部を形成している対桁板と、前記天板の一端にて、その内側端部が開放された逆台形状の端桁部を形成する端桁板とを有し、前記対桁板と前記端桁板とは、前記中板連接部の両端に折り曲げ形成されて前記桁部及び前記端桁部の開放端と対向配置された対向支持部を介して接続されていてもよい。
【００１９】
このように構成した場合には、大型のパレット用等に、桁部の数を任意に設定することが可能となる。
【００２０】
以上において、前記桁部には、その内面形状に倣った補強部材が挿入されていてもよい。
【００２１】
このように構成した場合には、例えば、５００ｋｇ以上の重量物等の積載が可能となる。
【発明の効果】
【００２２】
本発明に係る折り畳みダンボールパレットによれば、部材管理や現場での組立が容易に可能となると共に、搬送スペースや収容スペースの低減及びコストダウンが可能となる。
【図面の簡単な説明】
【００２３】
【図１】本発明の実施形態１に係るダンボールパレットの構成を示す模式図であり、(a)は折り畳み状態を示す正面図であり、（ｂ）は組み立て状態を示す正面図であり、（ｃ）は補強部材を挿入した状態を示す図である。
【図２】本発明の実施形態２に係るダンボールパレットの構成を示す模式図であり、(a)は折り畳み状態を示す正面図であり、（ｂ）は組み立て状態を示す正面図である。
【図３】本発明の実施形態３に係るダンボールパレットの構成を示す模式図であり、(a)は折り畳み状態を示す正面図であり、（ｂ）は組み立て状態を示す正面図である。
【発明を実施するための形態】
【００２４】
＜実施形態１＞
以下に、本発明に係る折り畳みダンボールパレットの一実施形態について、図面を参照して説明する。ここで、図１は実施形態１に係る折り畳みダンボールパレットの基本構成を示す模式図である。
【００２５】
本実施の形態に係る折り畳みダンボールパレット１は、図１に示すように、その上に積載物が載置される天板１０と、積載物の荷重を支持する桁部を構成する桁板５０と、上記天板１０と桁板５０との間に介在して、桁部の一部（支持部材）を構成すると共に天板１０の強度を補強する中板３０とを備えている。そして、出荷時の状態（以下、折り畳み状態とも称する）において、桁板５０、中板３０、天板１０の順に積層されて一枚のボード状に一体形成されている（図１（ａ）参照）。
【００２６】
本発明において、天板、中板、桁板はいずれも、予め所定の大きさにカットした強化ダンボールシートを２枚から３枚積層して貼り合せ接合して形成されている。また、上記強化ダンボールシートしては、両面ダンボールの片側に片面ダンボールを貼り合わせた、いわゆるダブルタイプの複両面ダンボール（ＡＢ段：８ｍｍ）であり、ライナーはＫ６又はＫ７、中芯はＭＭ１８０が用いられている。なお、桁板に関しては、いわゆるトライウォール（登録商標）ダンボール（ＡＡＡ厚み１５ｍｍ、ＡＡ厚み１０ｍｍ）等と組み合わせてもよい。さらに、水を使用する場所で使用する場合には、天板、中板、桁板を全てプラスチックダンボールで形成してもよい。
【００２７】
図１(ｂ)に示すように、本実施の形態に係る中板３０は、天板１０の幅方向（図１において左右方向）の両端部に配置される一対の中板端部３３と、天板１０に接合（接着固定）され折り畳み状態で中板端部３３と平板状に（段差が生じないように）連接する中板連接部３１とを有している。なお、両端の中板端部３３は、予め折り曲げ罫線が付されており、天板１０に接合された一対の接合端部３３ｓと、折り曲げ罫線に沿って桁板５０側に折り返されて桁板５０の端部と対向配置され、弾性復元力により支持する一対の対向支持部３３ｅとで構成されている。
【００２８】
一方、桁板５０は、折り曲げ罫線が付された連続したダンボールシートであり、中板連接部３１の中央で、当該中板連接部３１に接合された桁板接合部５１を有し、この桁板接合部５１から見て左右対称で逆台形状（上底の方が下底よりも長い台形）に折り曲げられた一対の桁部Ｓを形成している。より詳細には、桁板接合部５１の両端から連続して、折り曲げ罫線に沿って斜め下方に折り曲げられた一対の傾斜部５３ｔと、この傾斜部５３ｔから連続して、天板１０と平行となるように折り曲げられ、逆台形の下底を形成する一対の下底部５３と、この下底部５３から連続して斜め上方に折り曲げられ、その端部（桁部Ｓの外側端部）が開放された一対の開放端部５３eとを有し、逆台形状の桁部Ｓを形成している。
【００２９】
そして、本実施の形態では、逆台形状の一対の桁部Ｓにフォークリフトの爪を差し込んで運搬するようになっている。このように、フォークリフト穴を逆台形状（上底の方が下底よりも長い台形）に形成することにより、台形状（上底の方が下底よりも短い台形）のフォーク穴に比し、フォークリフトの爪と桁部Ｓとの接触を容易に回避して作業性の向上を図ると共に、折り畳みダンボールパレット１の損傷を未然に防止することができる。
【００３０】
さらに、折り畳み状態では、折り畳みダンボールパレット１を構成する部材（天板１０、中板３０、桁板５０）が一体のボード状に積層形成されているので、例えば、桁板を別部材として構成する態様等に比し、部材管理が極めて簡便になると共に、ダンボールパレット１自体の保管スペースの削減や、搬送する際の梱包作業性や積載効率を大幅に向上させることができる。加えて、天板１０、中板３０、桁板５０が平坦なシートを重ねた状態となっているので、これらの積層シートを一回のプレス工程でボード状に一体に加工成型することができ、機械化を容易に可能として生産性の大幅な向上及びコストダウンに寄与することができる。
【００３１】
また一般に、台形や長方形等の方形桁の場合には、シートを折り曲げて所定の形状を形成しても強化ダンボールシートの弾性復元力により、その形状を維持することが困難となる。しかしながら、本実施の形態に係る折り畳みダンボールパレット１では、逆台形桁の端部を開放端として、桁板５０の開放端部５３ｅを中板の対向支持部３３ｅの内側に嵌め込むことにより、強化ダンボールシートの弾性復元力を互いに押し付けあう方向に作用させて、桁部Ｓの形状を安定して保持することができる。すなわち、組み立ての際には、桁板５０に予め付された折り曲げ罫線に沿って折り曲げて一対の桁部Ｓを形成し、一対の開放端部５３ｅのそれぞれを、対応する一対の対向支持部３３ｅと対向するように嵌め込むだけで、逆台形の桁形状を安定して維持することができるダンボールパレットを簡易に形成することができる。
【００３２】
なお、本発明に係る折り畳みダンボールパレットは、積載荷重が５００ｋｇ未満の比較的軽量な積載物に好適であるが、積載荷重が５００ｋｇ以上となる重量物を搬送する場合には、図１（ｃ）に示すように、桁部Ｓの内面に倣うような形状（例えば、皿状）の強化ダンボール製の補強部材ＲＳを挿入してもよい（嵌め込んでもよい）。
【００３３】
＜実施形態２＞
次に、本発明に係るダンボールパレットの別の実施形態について、図面を参照して説明する。ここで、図２は実施形態２に係るダンボールパレットの基本構成を示す模式図である。なお、先の実施形態と同様な機能を有する部材については同様な符号を付し、その詳細な説明は省略する。
【００３４】
本実施の形態に係るダンボールパレット１Ａは、図２に示すように、先の実施の形態と同様に、折り畳み状態において、天板１０、中板３０Ａ、桁板５０Ａが一体にボード状に積層形成されている（図２（ａ）参照）。
【００３５】
図２（ｂ）に示すように、本実施の形態に係る中板３０Ａは、天板１０の幅方向（図２において左右方向）の両端部に配置される一対の中板端部３３Ａと、天板１０に接着され折り畳み状態で中板端部３３Ａと平板状に（段差が生じないように）連接する中板連接部３１Ａとを有している。具体的には、一対の中板端部３３Ａは、その両端部（幅方向最外部）にて折り返しが可能なように、予め折り曲げ罫線が付されており、本実施の形態に係る中板３０Ａは、桁板５０Ａと兼用（連続形成）されている。より詳細には、両端の中板端部３３Ａは、天板１０に接合された一対の接合端部３３Ａｓと、接合端部３３Ａｓから連続して、折り曲げ罫線に沿って斜め下側に折り曲げられた一対の傾斜部５３Ａｔと、この傾斜部５３Ａｔから連続して、天板１０と平行に折り曲げられ、逆台形の下底を形成する一対の下底部５３Ａと、この下底部５３Ａから連続して斜め上方に折り曲げられ、その端部（桁部ＳＡの内側端部）が開放された一対の開放端部５３Ａｅとを有し、逆台形状（上底の方が下底よりも長い台形）で左右対称の一対の桁部ＳＡを形成している。
【００３６】
一方、中板連接部３１Ａは、その両端部に折り曲げ罫線が付されたダンボールシートであり、天板１０の中央で、当該天板１０に接合（接着固定）された中板接合部３１Ａｓと、この中板接合部３１Ａｓの両端から斜め下方に折り曲げられて、一対の開放端部５３Ａｅと対向配置され、弾性復元力により一対の桁部ＳＡの形状を保持する一対の対向支持部３１Ａｅとを有している。
【００３７】
そして、組み立ての際には、一対の中板端部３３Ａを折り曲げて逆台形状の一対の桁部ＳＡを形成し、その開放端部５３Ａｅのそれぞれを中板連接部３１Ａの折り返された一対の対向支持部３１Ａｅの外側に嵌め込むことにより、先の実施の形態と同様に、弾性復元力を利用して桁部ＳＡの逆台形形状を維持すると共に、フォークリフトの爪による損傷を未然に防止し、併せて、プレス成型での一体加工を可能としている。また、実施形態１に比し、桁部ＳＡの幅方向の長さを拡張できるので、より一層、強度の向上や支持の安定化を図ることができる。
【００３８】
＜実施形態３＞
次に、本発明に係る折り畳みダンボールパレットの他の実施形態について、図面を参照して説明する。ここで、図３は実施形態３に係るダンボールパレットの基本構成を示す模式図である。なお、先の実施形態と同様な機能を有する部材については同様な符号を付し、その詳細な説明は省略する。
【００３９】
本実施の形態に係るダンボールパレット１Ｂは、先の実施形態に係るダンボールパレットがいずれも天板１０の幅方向中央から左右対称に中板及び桁板を配置し、偶数個（例えば、２個）の桁部Ｓ,ＳＡを形成したのに対し、中板、桁板を非対称に配置し、奇数個（例えば、３個）の桁部ＳＢ，ＳＢｅを形成したものである。
【００４０】
本実施の形態に係るダンボールパレット１Ｂは、図３に示すように、先の実施の形態と同様に、折り畳み状態において、天板１０、中板３０Ｂ、桁板５０Ｂが一体にボード状に積層形成されている（図３（ａ）参照）。
【００４１】
図３（ｂ）に示すように、本実施の形態に係る中板３０Ｂは、天板１０の幅方向（図３において左右方向）の両端部に配置される中板端部３３Ｂ，３４Ｂと、天板１０に接合（接着固定）され折り畳み状態で中板端部３３Ｂ，３４Ｂと平板状に（段差が生じないように）連接する中板連接部３１Ｂ，３２Ｂとを有している。一端の中板端部３３Ｂは、予め折り曲げ罫線が付されており、天板１０に接合（接着固定）された接合端部３３Ｂｓと、折り曲げ罫線に沿って桁板５０Ｂ側に折り返されて、桁板５０Ｂの端部と対向する対向支持部３３Ｂｅとで構成されている。他端の中板端部３４Ｂは、天板１０の端部に全体が接合されている。また、中板連接部３１Ｂは、全体が天板１０に接合されているのに対し、中板連接部３２Ｂは、中板接合部３２Ｂｓと、この中板接合部３２Ｂｓの両端から斜め下方に折り曲げられた一対の対向支持部３２Ｂｅを有している。
【００４２】
桁板５０Ｂは、折り曲げ罫線が付されたダンボールシートであり、一対の桁部ＳＢを形成する対桁板５３Ｂと、中板連接部３２Ｂを介して、さらに端桁部ＳＢｅを形成する端桁板５４Ｂとを有している。より詳細には、対桁板５３Ｂは、中板連接部３１Ｂの中央で、当該中板連接部３１Ｂに接合された桁板接合部５１Ｂを有し、この桁板接合部５１Ｂから連続して、折り曲げ罫線に沿って斜め下方に折り曲げられた一対の傾斜部５３Ｂｔと、この傾斜部５３Ｂｔから連続して、天板１０と平行となるように折り曲げられ、逆台形の下底を形成する一対の下底部５３Ｂと、この下底部５３Ｂから連続して斜め上方に折り曲げられ、その端部が開放された一対の開放端部５３Ｂeを形成し、逆台形状（上底の方が下底よりも長い台形）の、中板連接部３１Ｂから見て左右対称で一対の桁部ＳＢを形成している。一方、端桁板５４Ｂは、中板端部３４Ｂと接合された接合端部５４Ｂｓと、この接合端部５４Ｂｓから連続して、折り曲げ罫線に沿って斜め下方に折り曲げられた傾斜部５４Ｂｔと、この傾斜部５４Ｂｔから連続して、天板１０と平行となるように折り曲げられ、逆台形の下底を形成する下底部５４Ｂと、この下底部５４Ｂから連続して斜め上方に折り曲げられ、その端部が開放された開放端部５４Ｂeを形成し、逆台形状（上底の方が下底よりも長い台形）の端桁部ＳＢｅを形成している。
【００４３】
すなわち、左右対称な桁部ＳＢを形成する桁板５３Ｂの端部に、さらに、両側が開放端となっている中板連接部３２Ｂを介して、端桁部ＳＢｅを追加接続することにより奇数個（本例では、３個）の桁部を形成している。
【００４４】
このように、実施形態１や実施形態２のような左右対称（偶数個）の桁部に、両側が開放端となった連接部を介して端桁部を接続することにより、大型パレットを作成する場合等でも、任意の桁数（偶数、奇数）のパレットを実現することができる。
【００４５】
以上説明したように、本発明に係る折り畳みダンボールパレットによれば、工場出荷時には、天板１０、中板３０，３０Ａ，３０Ｂ、桁板５０，５０Ａ，５０Ｂといった構成部材を積層ボードとして一体に形成できるので、機械化（プレス成型）を容易に可能とすると共に、搬送費用や保管費用の大幅な削減が可能となる。また、所定の折り曲げ罫線に沿って桁部Ｓ,ＳＡ,ＳＢ,ＳＢｅを形成し、それぞれの端部を対向する端部に嵌め込むだけで容易に組み立て可能となるので、作業性の大幅な向上を図ることができる。
【００４６】
なお、本発明の技術的範囲は上述した各実施の形態に限定されるものではなく、本発明の要旨に逸脱しない範囲において多様な変更もしくは改良を加え得るものである。例えば、桁部については、逆台形状のみならず、台形状、長方形状等、方形状の桁形状としても差し支えない。また、上述した各実施形態を適宜組み合わせても当然よい。
【符号の説明】
【００４７】
１，１Ａ，１Ｂ    折り畳みダンボールパレット
１０    天板
３０，３０Ａ，３０Ｂ    中板
３１，３１Ａ，３１Ｂ,３２Ｂ    中板連接部
３１Ａｅ，３２Ｂｅ，３３ｅ，３３Ｂｅ    対向支持部
３１Ａｓ，３２Ｂｓ    中板接合部
３３，３３Ａ，３３Ｂ，３４Ｂ    中板端部
３３ｓ，３３Ａｓ，３３Ｂｓ    接合端部
５０，５０Ａ，５０Ｂ    桁板
５１，５１Ｂ    桁板接合部
５３，５３Ａ，５３Ｂ    下底部
５３ｔ，５３Ａｔ，５３Ｂｔ    傾斜部
５３ｅ，５３Ａｅ，５３Ｂe    開放端部
５３Ｂ    対桁板
５４Ｂ    端桁板
ＲＳ    補強部材
Ｓ,ＳＡ,ＳＢ,    桁部
ＳＢｅ    端桁部
【図１】
2020175903.tif 000003
【図２】
2020175903.tif 000004
【図３】
2020175903.tif 000005